(57)【要約】【課題】簡単な構成でありながら、計測対象関連情報を迅速かつ正確に伝送することができる計測システム、計測機器及び計測機器取付部材を提供する。【解決手段】計測システムは、計測機器取付部材（２０）と、計測機器取付部材（２０）に取り付けられる計測機器（１０）と、計測機器取付部材（２０）に設けられるとともに計測対象関連情報を送信する送信部（２１）と、計測機器（１０）に設けられるとともに計測対象関連情報を受信する受信部（１１）とを有している。【選択図】図４
2019057182.tif 000002
【特許請求の範囲】
【請求項１】
計測機器取付部材と、
前記計測機器取付部材に取り付けられる計測機器と、
前記計測機器取付部材に設けられるとともに、計測対象関連情報を送信する送信部と、
前記計測機器に設けられるとともに、前記計測対象関連情報を受信する受信部と、
を有することを特徴とする計測システム。
【請求項２】
前記送信部は、前記計測機器取付部材に埋設された非接触近距離無線送信部から構成され、
前記受信部は、前記計測機器に埋設された非接触近距離無線受信部から構成される、
ことを特徴とする請求項１に記載の計測システム。
【請求項３】
前記計測機器は、基台部と、前記基台部に取り付けられる本体部とを有し、
前記受信部は、前記計測機器の前記本体部に設けられる、
ことを特徴とする請求項１又は請求項２に記載の計測システム。
【請求項４】
前記計測機器は、計測情報と計測機器情報と前記計測対象関連情報を合成する情報合成部を有する、
ことを特徴とする請求項１から請求項３のいずれかに記載の計測システム。
【請求項５】
前記計測機器は、計測情報と計測機器情報と前記計測対象関連情報の少なくとも１つを直接的又は間接的に上位機器に伝送する情報伝送部を有する、
ことを特徴とする請求項１から請求項４のいずれかに記載の計測システム。
【請求項６】
計測機器取付部材に取り付けられる計測機器であって、
前記計測機器取付部材に設けられた送信部が送信した計測対象関連情報を受信する受信部を有することを特徴とする計測機器。
【請求項７】
計測機器が取り付けられる計測機器取付部材であって、
前記計測機器に設けられた受信部に計測対象関連情報を送信する送信部を有することを特徴とする計測機器取付部材。
【発明の詳細な説明】
【技術分野】
【０００１】
本発明は、計測システム、計測機器及び計測機器取付部材に関する。
【背景技術】
【０００２】
近年、通信機能を有する計測機器であるスマートメータの導入が進んでいる。スマートメータは、計測情報を上位機器（上位サーバなど）に送信する。上位機器は、スマートメータから受信した計測情報とスマートメータ情報（例えばスマートメータＩＤ）と計測対象関連情報（例えば顧客情報や位置情報など）を対応付けて管理する。従来、計測情報とスマートメータ情報と計測対象関連情報の対応付けが正しく行われているか否かは、スマートメータの設置時及び／又は交換時に人為的に確認するのが普通である。
【０００３】
特許文献１には、ＩＣタグを使用したメータの検針管理システムが開示されている。特許文献１の検針管理システムは、ガス、水道、電力などのメータにＩＣタグを装着しておき、このＩＣタグを介して、メータの検針管理に必要なデータの書き込み・読み取りを実行する。ＩＣタグを介したデータの書き込み・読み取りは、ＩＣタグが装着されたメータと別体のＩＣタグリーダ・ライタを使用して人為的に行われる。
【０００４】
特許文献２には、水道メータの交換業務の高効率化を図るための水道メータ交換システムが開示されている。この水道メータ交換システムでは、携帯端末からお客様番号が入力されると、水道システムサーバがデータベースからお客様番号と一致する使用者情報、水栓情報を検索し、検索結果を携帯端末に送信する。その後、携帯端末は、担当者が交換作業を行った結果としての取り外しメータ指針から３０日あたりの換算使用水量を算出し、水量異常の有無を判定する。水道システムサーバは、携帯端末から入力された新水道メータの交換結果情報から、メータマスタレコードのメータ状況を携帯端末に送信する。携帯端末からメータ取付け指針を入力して水道システムサーバに送信する。水道システムサーバは、受信した取付け指針に基づいて、水栓マスタレコードを更新後、更新終了を携帯端末に送信する。
【先行技術文献】
【特許文献】
【０００５】
【特許文献１】特開２００６−２２８１０９号公報
【特許文献２】特開２０１３−１３３６８９号公報
【発明の概要】
【発明が解決しようとする課題】
【０００６】
しかしながら、特許文献１の検針管理システムは、ＩＣタグリーダ・ライタの操作に多大な人員と時間を要するという問題がある。また、ＩＣタグリーダ・ライタの誤操作により、メータの検針管理に必要なデータを正しく書き込み・読み取りすることができない場合がある。また、ＩＣタグリーダ・ライタを用意しなければならないため、検針管理システムの構成が複雑になってしまう。
【０００７】
特許文献２の水道メータ交換システムは、携帯端末の操作に多大な人員と時間を要するという問題がある。また、携帯端末の誤操作により、水道メータの交換業務を正しく行うことができない場合がある。また、携帯端末と水道システムサーバを大幅に改変しなければならないため、水道メータ交換システムの構成が複雑になってしまう。
【０００８】
本発明はかかる点に鑑みてなされたものであり、簡単な構成でありながら、計測対象関連情報を迅速かつ正確に伝送することができる計測システム、計測機器及び計測機器取付部材を提供することを目的の１つとする。
【課題を解決するための手段】
【０００９】
本実施形態の計測システムは、その一態様では、計測機器取付部材と、前記計測機器取付部材に取り付けられる計測機器と、前記計測機器取付部材に設けられるとともに、計測対象関連情報を送信する送信部と、前記計測機器に設けられるとともに、前記計測対象関連情報を受信する受信部と、を有することを特徴としている。
【００１０】
本実施形態の計測機器は、その一態様では、計測機器取付部材に取り付けられる計測機器であって、前記計測機器取付部材に設けられた送信部が送信した計測対象関連情報を受信する受信部を有することを特徴としている。
【００１１】
本実施形態の計測機器取付部材は、その一態様では、計測機器が取り付けられる計測機器取付部材であって、前記計測機器に設けられた受信部に計測対象関連情報を送信する送信部を有することを特徴としている。
【発明の効果】
【００１２】
本発明によれば、簡単な構成でありながら、計測対象関連情報を迅速かつ正確に伝送することができる計測システム、計測機器及び計測機器取付部材を提供することができる。
【図面の簡単な説明】
【００１３】
【図１】第１実施形態による計測システムの構成を示すブロック図である。
【図２】第１実施形態によるスマートメータと取付板の取付状態を示す斜視図である。
【図３】図２においてスマートメータを省略して取付板を単体で描いた斜視図である。
【図４】図２のIV−IV線に沿う断面図である。
【図５】第１実施形態によるスマートメータの内部構成を示すブロック図である。
【図６】スマートメータの新設時における計測システムの動作を示す図である。
【図７】スマートメータの交換時における計測システムの動作を示す図である。
【図８】図１に示した計測システムの動作を示すシーケンス図である。
【図９】第２実施形態によるスマートメータの内部構成を示すブロック図である。
【図１０】第３実施形態によるスマートメータの構成を示す断面図である。
【図１１】ＲＦＩＣリーダをＲＦＩＣタグ用アンテナとルート通信用アンテナに選択的に接続可能なＲＦＩＣ切換スイッチを示す図である。
【発明を実施するための形態】
【００１４】
≪用語の定義≫
本明細書で「計測対象」とは、例えば、ガス、水道、電力などの各種の計測情報を計測するための一単位を意味している。例えば、一軒家であれば当該一軒家が「計測対象」に該当し、集合住宅であれば当該集合住宅の各居住区が「計測対象」に該当する。また本明細書で「計測対象関連情報」とは、「計測対象」と一対一の関係をなす各種の情報、例えば、顧客情報（契約者情報）や位置情報（住所情報）を意味している。
【００１５】
≪第１実施形態≫
図１Ａ〜図１Ｃは、第１実施形態による計測システムの構成を示すブロック図である。
【００１６】
図１Ａでは、スマートメータＡ１、Ａ２、Ａ３がネットワークＮを介して上位サーバ（上位機器）Ｓと接続されている。スマートメータＡ１〜Ａ３はそれぞれ直接的に（独立して）上位サーバＳと無線通信可能である。上位サーバＳは、例えば、電力会社の管轄下で電力使用量や電力使用料金を把握するためのものである。スマートメータＡ１〜Ａ３と上位サーバＳを結ぶ通信ルートは、電力量計と電力会社を結ぶいわゆるＡルートと呼ばれるものである。これに対し、スマートメータＡ１〜Ａ３と図示を省略した住宅用エネルギー管理システム（ＨＥＭＳ：Home  Energy  Management  System）を接続して、家庭内において電力使用量や電力使用料金を把握することも可能である。スマートメータＡ１〜Ａ３と住宅用エネルギー管理システムを結ぶ通信ルートは、電力量計と家庭を結ぶいわゆるＢルートと呼ばれるものである。
【００１７】
図１Ｂでは、スマートメータＢが携帯端末ＭＴと無線通信可能に接続されており、携帯端末ＭＴがネットワークＮを介して上位サーバＳと無線通信可能に接続されている。スマートメータＢは、携帯端末ＭＴを介して間接的に上位サーバＳと無線通信可能である。
【００１８】
図１Ｃでは、スマートメータＣ１〜Ｃ２が中継端末（中継スマートメータ）ＬＴと無線通信可能に接続されており、中継端末ＬＴがネットワークＮを介して上位サーバＳと無線通信可能に接続されている。スマートメータＣ１〜Ｃ２は、中継端末ＬＴを介して間接的に上位サーバＳと無線通信可能である。
【００１９】
図１Ａ〜図１Ｃに示した計測システムの構成は一例であり、種々の設計変更が可能である。すなわち、スマートメータ（計測機器）は、各種の情報を直接的又は間接的に上位サーバ（上位機器）との間で伝送できればよい。従って、スマートメータは、上位サーバとの間で情報伝送を実行するための機能、及び／又は、他のスマートメータや携帯端末や中継端末（中継スマートメータ）との間で情報伝送を実行するための機能を有していればよい。
【００２０】
図２〜図５を参照して、スマートメータ（計測機器）１０と、当該スマートメータ１０が取り付けられる取付板（計測機器取付部材）２０の構成について説明する。スマートメータ１０は、図１Ａ〜図１Ｃに示したスマートメータＡ１〜Ａ３、Ｂ、Ｃ１〜Ｃ２に代表的な符号を付して説明するものである。図２〜図４における上下前後左右の各方向は図中に示した矢線方向を基準とする。
【００２１】
図２〜図４に示すように、取付板２０は、例えば、上下方向に長く左右方向に短い一枚物の杉板から構成されている。取付板２０は、上下方向の中央部より上方、左右方向の中央部、且つ、前後方向の前方に臨む位置に埋設される形で、送信部（非接触近距離無線送信部）としてのＲＦＩＣ（Radio  Frequency  Integrated  Circuit）タグ２１を有している。ＲＦＩＣタグ２１は、例えば、顧客情報（契約者情報）や位置情報（住所情報）などの計測対象関連情報を保持しており、当該計測対象関連情報を後述するＲＦＩＣリーダ１１に送信（非接触近距離無線送信）する。ＲＦＩＣタグ２１が保持する計測対象関連情報は、適宜、設定や更新が可能である。またＲＦＩＣタグ２１は、取付板２０から取り外して交換可能である。
【００２２】
スマートメータ１０は、計測対象、例えば、一軒家であれば当該一軒家、集合住宅であれば当該集合住宅の各居住区に設置されて、当該計測対象におけるガス、水道、電力などの各種の計測情報を計測するものである。
【００２３】
図２、図４に示すように、スマートメータ１０は、基台部（端子台）１０Ａと、当該基台部１０Ａに取り付けられる本体部１０Ｂとを有している（基台部１０Ａと本体部１０Ｂが着脱自在に構成されている）。スマートメータ１０は、所定期間（例えば１０年）が経過する毎に検定有効期間満了による交換が義務付けられているが、その交換の際には、基台部１０Ａと本体部１０Ｂを一体に交換する態様、及び、基台部１０Ａから本体部１０Ｂを取り外して本体部１０Ｂだけを交換する態様が可能である。
【００２４】
図４に示すように、スマートメータ１０の本体部１０Ｂは、スマートメータ１０を取付板２０に取り付けたときにＲＦＩＣタグ２１と対向する位置に埋設される形で、受信部（非接触近距離無線受信部）としてのＲＦＩＣ（Radio  Frequency  Integrated  Circuit）リーダ１１を有している。ＲＦＩＣリーダ１１は、スマートメータ１０を取付板２０に取り付けた状態で、ＲＦＩＣタグ２１が送信（非接触近距離無線送信）した計測対象関連情報を受信（非接触近距離無線受信）する。
【００２５】
図５は、第１実施形態によるスマートメータ１０の内部構成を示すブロック図である。スマートメータ１０は、上述したＲＦＩＣリーダ１１の他に、電源部１２と、計測部１３と、表示部１４と、ＩＤ保持部（計測機器情報保持部）１５と、第１の情報伝送部（情報伝送部）１６と、第２の情報伝送部（情報伝送部）１７とを有している。
【００２６】
電源部１２は、スマートメータ１０の各構成要素に対して駆動電力を供給する。計測部１３は、例えば、ガス、水道、電力などの各種の計測情報（例えば検針値情報）を取得する。表示部１４は、計測部１３が取得した計測情報を表示する。ＩＤ保持部１５は、スマートメータ１０の固有識別情報であるスマートメータＩＤを保持する。
【００２７】
第１の情報伝送部１６は、他のスマートメータや携帯端末や中継端末（中継スマートメータ）との間で各種の情報伝送を実行する。例えば、第１の情報伝送部１６は、他のスマートメータにおける計測対象関連情報、スマートメータＩＤ及び／又は計測情報を受信し、且つ／又は、自端末における計測対象関連情報、スマートメータＩＤ及び／又は計測情報を送信する。第２の情報伝送部１７は、上位サーバＳとの間で情報伝送を実行する。例えば、第２の情報伝送部１７は、自端末及び／又は他のスマートメータにおける計測対象関連情報、スマートメータＩＤ及び／又は計測情報を送信する。第１の情報伝送部１６と第２の情報伝送部１７が協働することで、任意のスマートメータの計測対象関連情報、スマートメータＩＤ及び計測情報の少なくとも１つを直接的又は間接的に上位サーバＳに伝送することが可能になる。
【００２８】
図６は、スマートメータ１０の新設時における計測システムの動作を示す図である。工程１では、ＲＦＩＣタグ２１に、顧客情報（契約者情報）や位置情報（住所情報）などの計測対象関連情報を書き込む。工程２では、計測対象関連情報を書き込んだＲＦＩＣタグ２１を取付板２０に埋設する。工程３では、取付板２０にスマートメータ１０を取り付けて通電を開始する。すると、取付板２０のＲＦＩＣタグ２１とスマートメータ１０のＲＦＩＣリーダ１１が非接触近距離無線通信を行って、ＲＦＩＣリーダ１１がＲＦＩＣタグ２１から計測対象関連情報を読み取る。そして、ＲＦＩＣリーダ１１が読み取った計測対象関連情報、計測部１３が取得した計測情報（例えば検針値情報）、及び、ＩＤ保持部１５が保持するスマートメータＩＤ（計測機器情報）が、第１の情報伝送部１６と第２の情報伝送部１７を介して、直接的又は間接的に上位サーバＳに伝送される。工程４では、上位サーバＳが、スマートメータ１０から伝送された計測対象関連情報と計測情報とスマートメータＩＤを合成する（対応付ける）。
【００２９】
図７は、スマートメータ１０の交換時における計測システムの動作を示す図である。工程１では、取付板２０から既存のスマートメータ１０を取り外して新しいスマートメータ１０を取り付けて通電を開始する。すると、取付板２０のＲＦＩＣタグ２１とスマートメータ１０のＲＦＩＣリーダ１１が非接触近距離無線通信を行って、ＲＦＩＣリーダ１１がＲＦＩＣタグ２１から計測対象関連情報を読み取る。そして、ＲＦＩＣリーダ１１が読み取った計測対象関連情報、計測部１３が取得した計測情報（例えば検針値情報）、及び、ＩＤ保持部１５が保持するスマートメータＩＤ（計測機器情報）が、第１の情報伝送部１６と第２の情報伝送部１７を介して、直接的又は間接的に上位サーバＳに伝送される。工程２では、上位サーバＳが、スマートメータ１０から伝送された計測対象関連情報と計測情報とスマートメータＩＤを合成する（対応付ける）。すなわち、上位サーバＳは、交換前のスマートメータＩＤを交換後のスマートメータＩＤによって更新（上書き）する。
【００３０】
図８Ａは、図１Ａに示した計測システムの動作を示すシーケンス図である。ステップＳＴ１では、スマートメータＡ１から上位サーバＳに計測対象関連情報と計測情報とスマートメータＩＤが無線送信される。ステップＳＴ２では、スマートメータＡ２から上位サーバＳに計測対象関連情報と計測情報とスマートメータＩＤが無線送信される。ステップＳＴ３では、スマートメータＡ３から上位サーバＳに計測対象関連情報と計測情報とスマートメータＩＤが無線送信される。
【００３１】
図８Ｂは、図１Ｂに示した計測システムの動作を示すシーケンス図である。ステップＳＴ１’では、スマートメータＢから携帯端末ＭＴに計測対象関連情報と計測情報とスマートメータＩＤが無線送信される。ステップＳＴ２’では、携帯端末ＭＴから上位サーバＳに計測対象関連情報と計測情報とスマートメータＩＤが無線送信される。
【００３２】
図８Ｃは、図１Ｃに示した計測システムの動作を示すシーケンス図である。ステップＳＴ１”では、スマートメータＣ１から中継端末（中継スマートメータ）ＬＴに計測対象関連情報と計測情報とスマートメータＩＤが無線送信される。ステップＳＴ２”では、スマートメータＣ２から中継端末（中継スマートメータ）ＬＴに計測対象関連情報と計測情報とスマートメータＩＤが無線送信される。ステップＳＴ３”では、中継端末（中継スマートメータ）ＬＴから上位サーバＳに、スマートメータＣ１〜Ｃ２と中継端末（中継スマートメータ）ＬＴの計測対象関連情報と計測情報とスマートメータＩＤが一括して無線送信される。
【００３３】
≪第２実施形態≫
図９は、第２実施形態によるスマートメータ１０の内部構成を示すブロック図である。図９の第２実施形態では、図５の第１実施形態において、スマートメータ１０に情報合成部１８を追加している。情報合成部１８は、ＲＦＩＣリーダ１１が読み取った計測対象関連情報、計測部１３が取得した計測情報（例えば検針値情報）、及び、ＩＤ保持部１５が保持するスマートメータＩＤ（計測機器情報）を合成する。計測対象関連情報、計測情報、スマートメータＩＤ及び情報合成部１８によるこれらの合成情報は、第１の情報伝送部１６と第２の情報伝送部１７を介して、直接的又は間接的に上位サーバＳに伝送される。なお、計測対象関連情報、計測情報、スマートメータＩＤ及び情報合成部１８によるこれらの合成情報の一部だけを、第１の情報伝送部１６と第２の情報伝送部１７を介して、直接的又は間接的に上位サーバＳに伝送してもよい。
【００３４】
≪第３実施形態≫
図１０は、第３実施形態によるスマートメータ１０の構成を示す断面図である。図１０の第３実施形態では、スマートメータ１０の交換時に基台部１０Ａと本体部１０Ｂを一体に交換する場合を想定しており、基台部１０ＡにＲＦＩＣタグ用アンテナ１９Ａを設け、本体部１０Ｂにルート通信用アンテナ１９Ｂを設けている。ＲＦＩＣタグ用アンテナ１９Ａは、ＲＦＩＣリーダ１１がＲＦＩＣタグ２１から計測対象関連情報を読み取るための構成要素であり、ＲＦＩＣタグ２１とＲＦＩＣリーダ１１の通信周波数を設定により変更することができる。ルート通信用アンテナ１９Ｂは、ＲＦＩＣタグ用アンテナ１９Ａを介してＲＦＩＣリーダ１１が読み取った計測対象関連情報を、電力会社の管轄下にある上位サーバＳに無線送信するか（Ａルート）、又は、図示を省略した住宅用エネルギー管理システム（ＨＥＭＳ：Home  Energy  Management  System）に無線送信する（Ｂルート）。図１１に示すように、スマートメータ１０は、ＲＦＩＣリーダ１１をＲＦＩＣタグ用アンテナ１９Ａとルート通信用アンテナ１９Ｂに選択的に接続可能なＲＦＩＣ切換スイッチ１９Ｃを有している。
【００３５】
このように、本実施形態による計測システムは、取付板（計測機器取付部材）２０と、取付板２０に取り付けられるスマートメータ（計測機器）１０と、取付板２０に設けられるとともに計測対象関連情報を送信するＲＦＩＣタグ（送信部）２１と、スマートメータ１０に設けられるとともに計測対象関連情報を受信するＲＦＩＣリーダ（受信部）１１とを有している。これにより、簡単な構成でありながら、計測対象関連情報を迅速かつ正確に伝送することができる。すなわち、従来はスマートメータの新設時又は交換時に人為的に実行していたスマートメータ１０の関連付け作業を高精度かつ自動で行うことにより、作業の省力化と誤設定の防止を図ることができる。
【００３６】
なお、本発明は上記実施の形態に限定されず、種々変更して実施することが可能である。上記実施の形態において、添付図面に図示されている構成要素の大きさや形状、機能などについては、これに限定されず、本発明の効果を発揮する範囲内で適宜変更することが可能である。その他、本発明の目的の範囲を逸脱しない限りにおいて適宜変更して実施することが可能である。
【００３７】
上記実施の形態では、取付板２０及びスマートメータ１０の「送信部」及び「受信部」をＲＦＩＣタグ２１（非接触近距離無線送信部）及びＲＦＩＣリーダ１１（非接触近距離無線受信部）とした場合を例示して説明した。しかし、取付板２０及びスマートメータ１０の「送信部」及び「受信部」は、計測対象関連情報を送受信できる限りにおいて、種々の設計変更が可能である。
【産業上の利用可能性】
【００３８】
本発明の計測システム、計測機器及び計測機器取付部材は、計測対象関連情報を把握するための計測システム、計測機器及び計測機器取付部材に適用することができる。
【符号の説明】
【００３９】
１０  スマートメータ（計測機器）
１０Ａ  基台部（端子台）
１０Ｂ  本体部
１１  ＲＦＩＣリーダ（受信部、非接触近距離無線受信部）
１２  電源部
１３  計測部
１４  表示部
１５  ＩＤ保持部（計測機器情報保持部）
１６  第１の情報伝送部（情報伝送部）
１７  第２の情報伝送部（情報伝送部）
１８  情報合成部
１９Ａ  ＲＦＩＣタグ用アンテナ
１９Ｂ  ルート通信用アンテナ
１９Ｃ  ＲＦＩＣ切換スイッチ
２０  取付板（計測機器取付部材）
２１  ＲＦＩＣタグ（送信部、非接触近距離無線送信部）
Ａ１  Ａ２  Ａ３  Ｂ  Ｃ１  Ｃ２  スマートメータ
ＭＴ  携帯端末
ＬＴ  中継端末（中継スマートメータ）
Ｎ  ネットワーク
Ｓ  上位サーバ（上位機器）
【図１】
2019057182.tif 000003
【図２】
2019057182.tif 000004
【図３】
2019057182.tif 000005
【図４】
2019057182.tif 000006
【図５】
2019057182.tif 000007
【図６】
2019057182.tif 000008
【図７】
2019057182.tif 000009
【図８】
2019057182.tif 000010
【図９】
2019057182.tif 000011
【図１０】
2019057182.tif 000012
【図１１】
2019057182.tif 000013